(57)【特許請求の範囲】
【請求項１】
所在位置の位置情報を取得する位置情報取得手段と、
前記位置情報に対応したワンセグ放送受信ガイド情報を、インターネットサイトのサーバ又は自端末のメモリから取り込むワンセグ放送受信ガイド情報取得手段と、
前記位置情報に対応したワンセグ放送受信ガイド情報を基に、放送受信不感地域における受信改善方法の情報を表示する受信改善方法情報表示手段と、
前記位置情報に対応したワンセグ放送受信ガイド情報を基に、内蔵アンテナで受信された信号を増幅する増幅器の利得調整を行う手段を備え、
該利得調整では受信が改善されない場合に、前記放送受信不感地域における受信改善方法の情報を表示することを特徴とするワンセグ放送受信機能を有する携帯端末。
【請求項２】
前記ワンセグ放送受信ガイド情報取得手段は、前記位置情報に対応したワンセグ放送受信ガイド情報が自端末のメモリに保持されていないとき、携帯電話網を介してインターネットサイトのサーバにアクセスし、該位置情報に対応したワンセグ放送受信ガイド情報を、該サーバからダウンロードして取り込む手段を有する請求項１に記載のワンセグ放送受信機能を有する携帯端末。
【請求項３】
手動操作によって入力されたワンセグ放送受信ガイド情報を、前記位置情報と共に、前記インターネットサイトのサーバへ送信する手段を備えた請求項１または請求項２に記載のワンセグ放送受信機能を有する携帯端末。
【発明の詳細な説明】
【技術分野】
【０００１】
本発明は、ワンセグ放送受信機能を有する携帯端末に関し、特に、地上デジタル放送のワンセグ放送の電波が弱い又は電波が届かない不感地帯でのワンセグ放送受信を改善する携帯端末に関する。ワンセグとは、例えば、日本において、主に携帯電話などの携帯機器を受信対象とする地上デジタルデレビジョン放送のことで、正式名称を「携帯電話・移動体端末向けの１セグメント部分受信サービス」という。
【背景技術】
【０００２】
従来のワンセグ放送受信機能を有する携帯端末では、ワンセグ放送の電波が弱い又は電波が届かない不感地帯に入り込んだ場合、該携帯端末のユーザが試行錯誤的に受信アンテナの方向や長さを変えたり、高い場所に移動したりするなど、ユーザの勘を頼りに放送受信の改善が試みられている。また、インターネットに接続してワンセグ放送に関する情報を入手する手段を有するものもあるが、一般に、放送の番組表の入手のためのものである。
【０００３】
また、車などで移動する放送受信装置において、インターネットを介して現在位置の緯度経度情報と放送局情報を取得し、該放送局情報に従って選局手段を制御して放送を受信することにより、放送サービスエリア域外にて受信状態が劣化した場合でも、最適な放送サービスエリアの放送局情報を確保し、受信中の番組を継続して受信可能にする手段等は、下記特許文献１等によって知られている。
【特許文献１】特開２００４−２３５７９号公報
【発明の開示】
【発明が解決しようとする課題】
【０００４】
前述したように、従来のワンセグ放送受信機能を有する携帯端末では、ワンセグ放送の受信不感地域に入ってしまった場合、手作業にて受信ロッドアンテナを伸ばしたり、受信場所を見通しの良い場所に移動したりするなどし、ユーザの勘を頼りに放送受信の改善が試みられていた。本発明は、ユーザの勘に頼ることなく、ワンセグ放送の受信不感地域における受信改善を図ることができる携帯端末を提供することを目的とする。
【課題を解決するための手段】
【０００５】
このワンセグ放送受信機能を有する携帯端末は、全地球測位システム（ＧＰＳ）衛星から所在位置の位置情報を取得する位置情報取得手段と、前記位置情報に対応したワンセグ放送受信ガイド情報を、インターネットサイトのサーバ又は自端末のメモリから取り込むワンセグ放送受信ガイド情報取得手段と、前記位置情報に対応したワンセグ放送受信ガイド情報を基に、放送受信不感地域における受信改善方法の情報を表示する受信改善方法情報表示手段と、前記位置情報に対応したワンセグ放送受信ガイド情報を基に、内蔵アンテナで受信された信号を増幅する増幅器の利得調整を行う手段を備え、該利得調整では受信が改善されない場合に、前記放送受信不感地域における受信改善方法の情報を表示するものである。
【発明の効果】
【０００６】
この携帯端末によれば、ワンセグ放送の受信不感地域毎に放送受信改善情報をインターネットサイトのサーバ又は携帯端末内のメモリに保存し、携帯端末の全地球測位システム（ＧＰＳ）機能を利用し、携帯端末の所在位置に対応した放送受信改善情報を表示することにより、不感地域を避けるように移動するなど、ユーザは勘に頼ることなくワンセグ放送を見易い状態にすることが可能となる。これにより、ユーザによる放送受信不感地域での受信改善の試行が行われなくなり、バッテリーの無駄な消耗を避けることができる。
【発明を実施するための最良の形態】
【０００７】
図１は、開示の携帯端末による放送不感地帯での受信改善の説明図である。同図において、１−１は携帯端末により携帯電話網を介して通信を行うことができる携帯電話網通信可能地域であり、その中にワンセグ放送の受信が可能な地域１−２〜１−４が散在し、それらの地域１−２〜１−４以外ではワンセグ放送の受信が不可能な不感地帯であるとする。
【０００８】
携帯端末１−５は、全地球測位システム（ＧＰＳ：Global Positioning System）により位置情報を受信し、該位置情報に対応したワンセグ放送受信ガイド情報を取得し、該ワンセグ放送受信ガイド情報に従って、内蔵アンテナで受信された信号を増幅する増幅器の利得調整を行い、該利得調整だけでは受信が改善されない場合に、外部アンテナ使用の催促や受信可能な方位等を通知するメッセージを表示する。
【０００９】
即ち、携帯端末１−５の全地球測位システム（ＧＰＳ）による位置情報取得機能を活用し、所在位置の緯度・経度・地上高などの位置情報を取得し、該位置情報に対応したワンセグ放送受信ガイド情報を、携帯電話網を介してインターネットサイトのサーバから受信する。或いは、自端末のメモリに既に蓄えられているワンセグ放送受信ガイド情報の中から、該位置情報に対応したワンセグ放送受信ガイド情報を取得する。
【００１０】
ワンセグ放送の送信波は、ＵＨＦ帯の電波で指向性があるため、携帯端末１−５の所在位置から見た放送局の方位、高低差の情報を基に、携帯端末１−５の内蔵アンテナのままで良いか、ロッドアンテナ等の外部アンテナを引き出し、該外部アンテナをどの方角に向けて受信すれば受信が改善されるか、などの所在位置に対応したワンセグ放送受信ガイド情報を入手することができれば、受信を改善することができる。
【００１１】
そこで、所在位置に対応したワンセグ放送受信ガイド情報が、自端末に既に蓄積されている否かを検索し、蓄積されていない場合は、インターネットサイトのサーバから所在位置に対応したワンセグ放送受信ガイド情報をダウンロードする。
【００１２】
そして、該ワンセグ放送受信ガイド情報に従って、内蔵アンテナの利得調整を行い、或いは、ユーザに対して外部アンテナの使用やその指向方向の催告、又は受信可能な地域の方位とそこまでの移動距離等を通知するメッセージを端末画面に表示する、又は音、光、振動等によって通知する。
【００１３】
図２は、携帯端末にワンセグ放送受信ガイド情報を表示する表示例を示している。ワンセグ放送受信中に、放送受信不感地域に入り込んだ場合、同図に示すように、例えば、「１ｓｅｇ受信不感地帯  東に１０ｍ移動して下さい」といった受信改善情報を文字で画面に表示する。ユーザは該受信改善情報を見て放送受信可能地域の方位と距離とを認識し、該放送受信可能地域へ移動することにより、ワンセグ放送の受信が改善される。
【００１４】
図３は、ワンセグ放送受信ガイド情報の記録ファイルの例を示す。該記録ファイルは、アプリケーションソフトウェアにより表示するワンセグ放送受信ガイド情報の基になる情報であり、位置情報に対応して、ワンセグ放送受信不感地帯であることを示す情報と受信改善情報とを含んでいる。これらの情報は、データベースとしてインターネットサイトのサーバに格納され、また、該サーバからその一部が携帯端末によりダウンロードにより取り込まれ、携帯端末に格納される。
【００１５】
図４は、ワンセグ放送受信ガイド情報表示の処理フローである。まず、携帯端末からアクセスされるサーバに、受信可能地域情報及び受信改善情報を含むワンセグ情報受信ガイド情報を格納したデータベースを構築しておく（４−１）。
【００１６】
全地球測位システム（ＧＰＳ）衛星から電波が放射され（４−２）、携帯端末は該電波を受信し、位置情報を算出する（４−３）。携帯端末は、前回算出した位置情報との差分により位置情報の変化を監視し、位置情報が大きく変化したか否かを、閾値との比較により判定する（４−４）。
【００１７】
携帯端末は、位置情報が大きく変化したことを検出すると、ワンセグ放送受信ガイド情報の取込みを要求するトリガーを発生する（４−５）。該トリガーの発生により、現在の所在位置の位置情報に対応したワンセグ放送受信ガイド情報を、携帯電話網を介してサーバから取り込むか、又は自端末に既に格納されている場合には、既に格納されているワンセグ放送受信ガイド情報を読み出す。
【００１８】
サーバからワンセグ放送受信ガイド情報を取り込んだ場合は、該ワンセグ放送受信ガイド情報をバックアップ情報として自端末内のメモリに保持する（４−６）。以降、同一の位置情報のワンセグ放送受信ガイド情報は該メモリから読み出し、携帯電話網を介してサーバに繰り返しアクセスする処理を省略可能にする。
【００１９】
携帯端末は、該ワンセグ放送受信ガイド情報を基に、現在の所在位置がワンセグ放送受信不感地域か否かを判定する（４−７）。現在の所在位置がワンセグ放送受信可能地域であれば、ワンセグ放送の受信画面をそのまま表示する（４−８）。現在の所在位置がワンセグ放送受信不感地域であり、受信改善情報が存在する場合、アプリケーションソフトウェアを使用し、ワンセグ放送受信ガイド情報に従って受信改善情報を表示し（４−９）、ワンセグ放送の受信画面に受信改善情報を多重表示する（４−１０）。
【００２０】
また、携帯端末は、ユーザの手動操作により入力されたワンセグ受信不感地域の情報及び受信改善情報を、携帯電話網を介してサーバへ送信し（４−１１）、サーバは、携帯端末から送信されたワンセグ受信不感地域の情報及び受信改善情報を基に、ワンセグ放送受信ガイド情報表示のデータベースを更新する。
【００２１】
ワンセグ放送受信ガイド情報は、ユーザが携帯端末で編集し又は修正することができるようにし、修正したワンセグ放送受信ガイド情報をサーバに送信する機能を備える。これにより、サーバ側ではワンセグ放送受信ガイド情報の誤差を修正するよう更新し、多数のユーザによる更新により、ワンセグ放送受信ガイド情報の精度を高めることができる。また、建物が有り受信不可能な場合は、ワンセグ放送受信を自動的にオフにするよう、ユーザがワンセグ放送受信ガイド情報を独自に編集することも可能である。
【００２２】
このようにＧＰＳ機能を活用し、受信ポイントの緯度・経度・地上高と、その地点の放送局の方位・仰角の情報を、携帯電話通信網を介してサーバから入手し、ワンセグ放送を最良の状態で受信することができるようにガイド情報を表示することにより、ワンセグ放送受信の不感地帯でも、どうすればその地帯を脱出し、ワンセグ放送を受信することができるかをユーザに通知することが可能となる。
【図面の簡単な説明】
【００２３】
【図１】携帯端末による放送不感地帯での受信改善の説明図である。
【図２】携帯端末にワンセグ放送受信ガイド情報を表示する表示例を示す図である。
【図３】ワンセグ放送受信ガイド情報の記録ファイルの例を示す図である。
【図４】ワンセグ放送受信ガイド情報表示の処理フローを示す図である。
【符号の説明】
【００２４】
１−１  携帯電話網通信可能地域
１−２  ワンセグ放送の受信が可能な地域
１−３  ワンセグ放送の受信が可能な地域
１−４  ワンセグ放送の受信が可能な地域
１−５  携帯端末
【図１】
0005343413.tif 000002
【図２】
0005343413.tif 000003
【図３】
0005343413.tif 000004
【図４】
0005343413.tif 000005